(57)【要約】【課題】仕上げ寸法にばらつきのある背負いベルトも，しっかりと接続固定でき，かつ，リベットの外端を露出するような危険性や不体裁をなくす。【解決手段】  ランドセル等鞄類の背当板の上側中央部に背負いベルトの上端部を接続する背負いベルトの上端部取付け装置において，外端１５，１５が，前側壁部１６と底壁部１７とで断面Ｌ形をなすとともに上側と後側を開放してなる受入段部１８，１８を構成している一対の接続部材ａ，ａを，左右対称位置に配置し，上記受入段部１８，１８に，背負いベルトＢ，Ｂの上端部２３，２３を，上方に向かって延出する状態にして受入止着するようにしてなる背負いベルトの上端部取付け装置とこれを装架したランドセル等の鞄類。【選択図】図６
0003112044.tif 000002
【実用新案登録請求の範囲】
【請求項１】
ランドセル等鞄類の背当板の上側中央部に背負いベルトの上端部を接続する背負いベルトの上端部取付け装置において，外端（１５，１５）が，前側壁部（１６）と底壁部（１７）とで断面Ｌ形をなすとともに上側と後側を開放してなる受入段部（１８，１８）を構成している一対の接続部材（ａ，ａ）を，左右対称位置に配置し，上記受入段部（１８，１８）に，背負いベルト（Ｂ，Ｂ）の上端部（２３，２３）を，上方に向かって延出する状態にして受入止着するようにしてなることを特徴とする背負いベルトの上端部取付け装置。
【請求項２】
上記受入段部（１８，１８）に受入の背負いベルト（Ｂ，Ｂ）の上端部（２３，２３）を，該受入段部（１８，１８）の前側壁部（１６）との間に挟持する押さえ片（ｂ，ｂ）を備えてなることを特徴とする請求項１記載の背負いベルトの上端部取付け装置。
【請求項３】
上記受入段部（１８，１８）に受入の背負いベルト（Ｂ，Ｂ）の上端部（２３，２３）を，該受入段部（１８，１８）の前側壁部（１６）との間に挟持する押さえ片（ｂ，ｂ），およびこれらを貫通止着するリベット（２４，２４）等の係止部材を備えてなることを特徴とする請求項１または２記載の背負いベルトの上端部取付け装置。
【請求項４】
上記受入段部（１８，１８）の前側壁部（１６）が，その内面に係止筒（２５，２５）を突設し，これに背負いベルト（Ｂ，Ｂ）の上端部（２３）の係止孔（２６，２６）を嵌合するようにするとともに，押さえ片（ｂ，ｂ）側から挿入して上記係止筒（２５，２５）に螺合する止めねじ（２７，２７）を備えてなることを特徴とする請求項１，２または３記載の背負いベルトの上端部取付け装置。
【請求項５】
上記受入段部（１８，１８）に受入の背負いベルト（Ｂ，Ｂ）の上端部（２３，２３）を，該受入段部（１８，１８）の前側壁部（１６），またはその前側壁部（１６）と底壁部（１７）とに接着または溶着してなることを特徴とする請求項１記載の背負いベルトの上端部取付け装置。
【請求項６】
上記受入段部（１８，１８）に受入止着する背負いベルト（Ｂ，Ｂ）の上端部（２３，２３）の所要長さ部分に，それが上方に向かって延出する状態を得られ易くする可撓性を付与する適宜の部材を内装または重合してなることを特徴とする請求項１，２，３，４または５記載の背負いベルトの上端部取付け装置。
【請求項７】
上記一対の接続部材（ａ，ａ）が，たがいに接近する方向と離隔する方向への回動が自在になるようにして，内端（１４，１４）を軸支され，たがいに接近する方向に回動するように付勢されていることを特徴とする請求項１，２，３，４，５または６記載の背負いベルトの上端部取付け装置。
【請求項８】
請求項１，２，３，４，５，６または７記載の背負いベルトの上端部取付け装置を，背当板（１１）の上側中央部に装架してなることを特徴とするランドセル等の鞄類。
【考案の詳細な説明】
【技術分野】
【０００１】
本考案は，背負いベルトの上端部取付け装置とこれを装架したランドセル等の鞄類に関する。
【背景技術】
【０００２】
一般に，鞄類の背負いベルトの上端部は，当該鞄類本体の背当板の上側中央部に取り付けられる。特に，ランドセルにおいは，背当板の上側中央部に取付け装置を装架し，この取付け装置が具備する取付け部材に対して，背負いベルトの上端部を上方から挿し込むことにより取り付けたものが，例えば特許文献１（特開２００３−３３９４１９号公報）に掲載されるなどして公知である。
【０００３】
それは，図１２〜１４に示すように，ランドセル本体１の背当板２の上側中央部に装架した取付け装置３が，左右一対の扁平筒形受口体４，４を左右揺動自在に備え，その扁平筒形受口体４，４に，左右一対の背負いベルト５，５の上端部を上方から挿し込むとともに，これらを，複数本のリベット６を上記受口体４，４の一側から他側に貫通させてリベット止めしてなる。
【０００４】
この公知のものにおいて，背負いベルト５，５は，上記のように扁平筒形受口体４，４に上方から挿し込まれているため，その上側所要長さ部分が図１３に示すように下向きに大きく湾曲する。したがって，この湾曲する部分が，図１２に示すように，当該ランドセルを背負った児童の肩にフィットし，背当板２も背中に沿ってほぼ垂直になり，自ずと安定した背負い方になるとともに，背負い心地が良いものである。
【特許文献１】特開２００３−３３９４１９号公報
【考案の開示】
【考案が解決しようとする課題】
【０００５】
上記のものにおいては，その製作に当たって，背負いベルト５，５の厚さや幅の寸法と扁平筒形受口体４，４の内空部の寸法とをたがいに適合するようにしておかなければならない。しかし，特に，背負いベルト５，５は，皮革，合成皮革，合成紙および各種スポンジ体等の柔軟性材料を重合縫製して作製するもので，仕上げ寸法にばらつきを生じるから，普通，成型もので寸法に融通性がない扁平筒形受口体４，４の内空部の寸法に，正確に一致させることが非常に困難である。例えば，背負いベルト５，５が扁平筒形受口体４，４の内空部の大きさに比べて細すぎるような場合，上記のリベット止めだけでは，背負いベルト５，５がリベット６を中心にして扁平筒形受口体４，４内で遊動することができ，不安定たるを免れない。
【０００６】
また，背負いベルト５，５の上端部と扁平筒形受口体４，４とを定着するのに，これらを，複数本のリベット６を扁平筒形受口体４，４の一側から他側に貫通させてリベット止めすると，当然ながら，その両外端が扁平筒形受口体４，４の外面から突出し，危険であるとともに，外観を損なうことになる。
【０００７】
上記にかんがみ，本考案は，柔軟性材料の重合体で仕上げ寸法にばらつきのある背負いベルトであっても，しっかりと接続固定でき，しかも，リベットの外端を露出するような不体裁をなくした付加価値の高い，背負いベルトの上端部取付け装置とこれを取り付けたランドセル等の鞄類を提供しようとするものである。
【課題を解決するための手段】
【０００８】
実用新案登録請求の範囲請求項１記載の本考案背負いベルトの上端部取付け装置は，ランドセル等鞄類の背当板の上側中央部に背負いベルトの上端部を接続する背負いベルトの上端部取付け装置において，外端１５，１５が，前側壁部１６と底壁部１７とで断面Ｌ形をなすとともに上側と後側を開放してなる受入段部１８，１８を構成している一対の接続部材ａ，ａを，左右対称位置に配置し，上記受入段部１８，１８に，背負いベルトＢ，Ｂの上端部２３，２３を，上方に向かって延出する状態にして受入止着するようにしてなる。
【０００９】
同請求項２記載の本考案は，上記受入段部１８，１８に受入の背負いベルトＢ，Ｂの上端部２３，２３を，該受入段部１８，１８の前側壁部１６との間に挟持する押さえ片ｂ，ｂを備えてなる請求項１記載の背負いベルトの上端部取付け装置である。
【００１０】
同請求項３記載の本考案は，上記受入段部１８，１８に受入の背負いベルトＢ，Ｂの上端部２３，２３を，該受入段部１８，１８の前側壁部１６との間に挟持する押さえ片ｂ，ｂ，およびこれらを貫通止着するリベット２４，２４等の係止部材を備えてなる請求項１または２記載の背負いベルトの上端部取付け装置である。
【００１１】
同請求項４記載の本考案は，上記受入段部１８，１８の前側壁部１６が，その内面に係止筒２５，２５を突設し，これに背負いベルトＢ，Ｂの上端部２３の係止孔２６，２６を嵌合するようにするとともに，押さえ片ｂ，ｂ側から挿入して上記係止筒２５，２５に螺合する止めねじ２７，２７を備えてなる請求項１，２または３記載の背負いベルトの上端部取付け装置である。
【００１２】
同請求項５記載の本考案は，上記受入段部１８，１８に受入の背負いベルトＢ，Ｂの上端部２３，２３を，該受入段部１８，１８の前側壁部１６，またはその前側壁部１６と底壁部１７とに接着または溶着してなる請求項１記載の背負いベルトの上端部取付け装置である。
【００１３】
同請求項６記載の本考案は，上記受入段部１８，１８に受入止着する背負いベルトＢ，Ｂの上端部２３，２３の所要長さ部分に，それが上方に向かって延出する状態を得られ易くする可撓性を付与する適宜の部材を内装または重合してなる請求項１，２，３，４または５記載の背負いベルトの上端部取付け装置である。
【００１４】
同請求項７記載の本考案は，上記一対の接続部材ａ，ａが，たがいに接近する方向と離隔する方向への回動が自在になるようにして，内端１４，１４を軸支され，たがいに接近する方向に回動するように付勢されている請求項１，２，３，４，５または６記載の背負いベルトの上端部取付け装置である。
【００１５】
同請求項８記載の本考案ランドセル等の鞄類は，請求項１，２，３，４，５，６または７記載の背負いベルトの上端部取付け装置を，背当板１１の上側中央部に装架してなるものである。
【考案の効果】
【００１６】
本考案によれば，取付け装置Ａの接続部材ａ，ａは，その外端１５，１５を，上側と後側を開放した構成の受入段部１８，１８とし，この受入段部１８，１８に背負いベルトＢ，Ｂの上端部２３，２３を重合状態にして止着できるものであるから，柔軟性材料の重合体で仕上げ寸法にばらつきのある背負いベルトであっても，容易にしかもしっかりと接続固定できる。すなわち，従来公知の取付け装置３の扁平筒形受口体４，４の場合のような不都合はない。
【００１７】
また，止めねじ２７，２７を係止筒２５，２５に螺合して，受入段部１８の前側壁部１６の外面（表面）に先端を露呈させないようにすることによって，安全性を図れるとともに，外観を損なうようなことがない。
【００１８】
さらに，背負いベルトＢの上端部２３を，受入段部１８の前側壁部１６の内面に接着剤接着またはウェルダー溶着等により止着することによって，リベットや止めねじを使用しないで済むので，製作が容易であるとともにコストを安くでき，安全であるとともに，外観を損なうようなこともない。
【考案を実施するための最良の形態】
【００１９】
外端１５，１５が，前側壁部１６と底壁部１７とで断面Ｌ形をなすとともに上側と後側を開放してなる受入段部１８，１８を構成している一対の接続部材ａ，ａを，左右対称位置に配置し，上記受入段部１８，１８に，背負いベルトＢ，Ｂの上端部２３，２３を，上方に向かって延出する状態にして受入止着するようにしてなることを特徴とする背負いベルトの上端部取付け装置。
【実施例】
【００２０】
まず，本考案の実施例１を図１〜６を参照して説明する。
Ａは，ランドセル本体１０の背当板１１の上側中央部に装架した背負いベルトの上端部取付け装置である。その取付け装置Ａは，基板１２（図４，５）と蓋板１３との間であって，かつ左右対称位置に，合成樹脂一体成型品である一対の接続部材ａ，ａの内端１４，１４を軸支し，その外端１５，１５を基板１２と蓋板１３の上部外方に位置させている。
上記外端１５，１５は，前側壁部１６と底壁部１７とで断面Ｌ形をなし，上側と後側を開放してなる受入段部１８，１８を構成している。
【００２１】
上記接続部材ａ，ａは，たがいに接近する方向と離隔する方向への回動が自在になるようにして，上記内端１４，１４を軸支され，通常は，その内端１４，１４の外周にバネ１９の湾曲端部２０，２０が作用していることにより，たがいに接近する方向に回動するように付勢されている。
【００２２】
ｂ，ｂは，側壁部２１と底壁部２２とで逆断面Ｌ形をなす押さえ片で，背負いベルトＢ，Ｂの上端部２３，２３は，この押さえ片ｂ，ｂによって接続部材ａ，ａの上記受入段部１８，１８に重合状態で固着されている。
すなわち，背負いベルトＢ，Ｂの上端部２３，２３は，その表面側２３１，
２３１と端面２３２，２３２（図６）に，押さえ片ｂ，ｂの側壁部２１と底壁部２２を当接重合し，かつ，その裏面側２３３，２３３を受入段部１８，１８の上記前側壁部１６，１６に当接重合した状態において，上記受入段部１８，１８に受入され，かつ，押さえ片ｂ，ｂの側壁部２１側から貫通させたリベット２４，２４を，受入段部１８，１８の前側壁部１６，１６の表面側でカール止めしている。なお，この場合，リベット２４，２４に代えて，その他の係止部材，すなわち，いわゆる「かしめ」やねじ等を使用できることは明らかである。
【００２３】
これによって，背負いベルトＢ，Ｂは，その上端部２３，２３を，取付け装置Ａの一対の接続部材ａ，ａの受入段部１８，１８に対し上向きに，すなわち，受入段部１８，１８から上方に向かって延出した状態で，該取付け装置Ａにしっかりと接続されているものである。
【００２４】
換言すると，背負いベルトＢ，Ｂは，その上端部２３，２３が，取付け装置Ａの接続部材ａ，ａから直接垂れ下がるのではなく，一旦上方に向かって延出した後に下向きに大きく湾曲することになる（図１〜３）ので，この湾曲する部分がランドセルを背負った児童の肩にフィットし，背当板１１も背中に沿ってほぼ垂直状態になり，自ずと安定した背負い方になり，したがって，背負い心地も良好になる。
【００２５】
上記において，背負いベルトＢ，Ｂは，その上端部２３，２３が上記湾曲状態を得られやすくするために，少なくとも該上端部２３，２３の部分に，可撓性を付与する適宜の部材を内装または重合すると，効果的であることは明らかである。
【００２６】
上記のように，取付け装置Ａの接続部材ａ，ａは，その外端１５，１５を，上側と後側を開放した構成の受入段部１８，１８とし，この受入段部１８，１８に背負いベルトＢ，Ｂの上端部２３，２３を重合状態にして止着できるものであるから，柔軟性材料の重合体で仕上げ寸法にばらつきのある背負いベルトであっても，容易にしかもしっかりと接続固定できるもので，図１２〜１４に示した従来公知の取付け装置３の扁平筒形受口体４，４の場合のような不都合はない。
【００２７】
次に，本考案の実施例２を図７〜９を参照して説明する。
この実施例２は，接続部材ａの外端１５である受入段部１８が，前側壁部１６の内面に係止筒２５，２５を突設している。また，背負いベルトＢの上端部２３に係止孔２６，２６を設けている。
そして，この係止孔２６，２６を上記係止筒２５，２５に嵌合することにより，背負いベルトＢの上端部２３を上記受入段部１８に受入している（図８）。
さらに，押さえ片ｂの側壁部２１を上記上端部２３の表面側２３１に当接するとともに，同押さえ片ｂの底壁部２２を上記上端部２３の端面２３２に当接した上，上記側壁部２１側から止めねじ２７，２７を挿入し，上記係止筒２５，２５に螺合している。
【００２８】
これによって，背負いベルトＢは，その上端部２３を，取付け装置Ａの接続部材ａの受入段部１８に対し上向きに，すなわち，受入段部１８から上方に向かって延出した状態で，該取付け装置Ａにしっかりと接続されているものである。
【００２９】
本実施例２の上記以外の構成は，実施例１と同じなので，その説明を省略する。また，本実施例２の作用効果としては，実施例１の上記作用効果のほかに，止めねじ２７，２７が，係止筒２５，２５に螺合しているだけで，受入段部１８の前側壁部１６の外面（表面）に先端を露呈するようなことがないので，安全であるともに，外観を損なうようなこともないという作用効果を奏するものである。
【００３０】
さらに，本考案の実施例３を図１０，１１を参照して説明する。
この実施例３は，背負いベルトＢの上端部２３を，取付け装置Ａの接続部材ａの外端１５である受入段部１８に受入させ，その前側壁部１６の内面に，該上端部２３の裏面側２３３を，接着剤接着またはウェルダー溶着等により止着し，これによって，背負いベルトＢは，その上端部２３を，接続部材ａの受入段部１８に対し上向きに，すなわち，受入段部１８から上方に向かって延出した状態で，該取付け装置Ａにしっかりと接続されているものである。
【００３１】
本実施例３の上記以外の構成は，実施例１と同じなので，その説明を省略する。また，本実施例３の作用効果としては，実施例１の上記作用効果のほかに，リベットや止めねじを使用しないで済むので，製作が容易であるとともにコストを安くでき，安全であるともに，外観を損なうようなこともないという作用効果を奏するものである。
【図面の簡単な説明】
【００３２】
【図１】本考案の実施例１の使用状態の側面図である。
【図２】同上の要部拡大正面図である
【図３】同上の要部拡大側面図である
【図４】取付け装置の内部を示す正面図である。
【図５】同取付け装置の側面図である。
【図６】背負いベルトの上端部とともに示す取付け装置の斜視図である。
【図７】本考案の実施例２の取付け装置の要部の分解側面図である。
【図８】同上の取付け装置に背負いベルトの上端部を取り付けている状態の側面図である。
【図９】同上の取付けを完了した状態の側面図である。
【図１０】本考案の実施例３の取付け装置の要部の分解側面図である。
【図１１】同上の取付け装置に背負いベルトの上端部の取付けを完了した状態の側面図である。
【図１２】従来公知の背負いベルトの上端部取付け装置の使用状態の側面図である。
【図１３】同上の要部拡大断面図である。
【図１４】同上の取付け装置の斜視図である。
【符号の説明】
【００３３】
Ａ      背負いベルトの上端部取付け装置
ａ      接続部材
Ｂ      背負いベルト
ｂ      押さえ片
１０    ランドセル
１１    背当板
１５    外端
１６    前側壁部
１７    底壁部
１８    受入段部
２３    上端部
２４    リベット
２５    係止筒
２６    係止孔
２７    止めねじ
【図１】
0003112044.tif 000003
【図２】
0003112044.tif 000004
【図３】
0003112044.tif 000005
【図４】
0003112044.tif 000006
【図５】
0003112044.tif 000007
【図６】
0003112044.tif 000008
【図７】
0003112044.tif 000009
【図８】
0003112044.tif 000010
【図９】
0003112044.tif 000011
【図１０】
0003112044.tif 000012
【図１１】
0003112044.tif 000013
【図１２】
0003112044.tif 000014
【図１３】
0003112044.tif 000015
【図１４】
0003112044.tif 000016